【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
ベッドサイドの固定側フレームと回転側フレームとの間に設けられる回転構造において、
固定側フレームに設けられる筒状の固定部材と、
回転側フレームに設けられると共に、前記固定部材の上方に回転可能に設けられた筒状の可動部材と、
上端が可動部材より上方に突出すると共に、上向きに付勢されて前記可動部材の中空内に挿入されるロック解除用の押圧操作部と、
前記可動部材に固定されると共に固定部材の中空内に挿入されて、固定部材に旋回可能に軸受された回転軸部と、
該回転軸部の回転に連動して回転すると共に、前記押圧操作部の昇降に連動して昇降するロック部材とを有し、
該ロック部材の外周壁の上部と、前記固定部材の内周壁の上部でロック部材が上昇した際に凹凸係合して可動部材の旋回を規制する一対の第１係合構成部が設けられ、
該ロック部材の外周壁の下部と、前記固定部材の内周壁の下部でロック部材が下降した際に凹凸係合してロック部材の旋回規制解除位置を保持する一対の第２係合構成部が設けられていることを特徴とするベッドサイドのフレーム回動構造。
【請求項２】
押圧操作部とロック部材の間に押圧部材の昇降をロック部材に連動させる作動部材を設けており、該作動部材は回転軸部内を貫通し上下に摺動しうることを特徴とする請求項１に記載のベッドサイドのフレーム回動構造。
【請求項３】
ロック部材が回転軸部に外嵌しており、ロック部材の内周面と回転軸部の外周面に、上下に延びる突条と凹溝とにより凹凸係合して、回転方向に連動する一対の凹凸構成部をそれぞれに設けてなることを特徴とする請求項１または２に記載のベッドサイドのフレーム回動構造。
【請求項４】
ロック部材に設けられる第１係合構成部の他方が、ロック部材の外周壁に設けられた内歯状の凹凸部からなっており、
固定部材に設けられる第１係合構成部の一方が、前記内歯状の凹凸部に係合させる外歯状の凹凸部からなっていることを特徴とする請求項１から３のいずれかに記載のベッドサイドのフレーム回動構造。
【請求項５】
ロック部材に設けられる第１係合構成部の一方が、ロック部材の外周壁で開口する横穴に嵌合して外向きに付勢された係合突部からなり、
固定部材に設けられる第１係合構成部の他方が、前記係合突部を係合させる係合受部からなっており、
該係合受部は、固定部材の軸線を中心にした周方向で可動部材の所定の回転角度に対応する位置に配置されていることを特徴とする請求項１から３のいずれかに記載のベッドサイドのフレーム回動構造。
【請求項６】
ロック部材に設けられる第２係合構成部の一方が、ロック部材の外周壁で開口する横穴に嵌合して外向きに付勢された係合突部からなり、
固定部材に設けられる第２係合構成部の他方が、前記係合突部を係合させる係合受部からなっており、
該係合受部は、固定部材の軸線を中心にした周方向で可動部材の所定の回転角度に対応する位置に配置されていることを特徴とする請求項１から５のいずれかに記載のベッドサイドのフレーム回動構造。
【請求項７】
第２係合構成部の係合受部が、固定部材の内周面に固着された筒状体のロックガイドに設けられて係合突部を掛止める孔部または長孔部からなっていることを特徴とする請求項１から６のいずれかに記載のベッドサイドのフレーム回動構造。
【請求項８】
ロックガイドに設けられた係合受部が、回転軸部の軸線を中心にしたロックガイドの周方向で一定の回転角度に対応するように複数配置された円形状の孔部と長孔部との組み合わせており、該長孔部が下段の長孔の左右で上下に連通する一対の上段の長孔を有すると共に、下段の長孔の中央の上縁が円弧状となって可動フレームが閉位置のときに係合突部が掛止められる基準点となっており、可動フレームが一定の角度まで回転した際に下段の長孔から上段の長孔に移動して、ロック部材の上昇を抑えて一対の第１係合構成部が係合しないように設定されていることを特徴とする請求項７に記載のベッドサイドのフレーム回動構造。
【手続補正２】
【補正対象書類名】明細書
【補正対象項目名】０００７
【補正方法】変更
【補正の内容】
【０００７】
本発明は、上記課題を解決するために、請求項１の発明では、
ベッドサイドの固定側フレームと回転側フレームとの間に設けられる回転構造において、
固定側フレームに設けられる筒状の固定部材と、
回転側フレームに設けられると共に、前記固定部材の上方に回転可能に設けられた筒状の可動部材と、
上端が可動部材より上方に突出すると共に、上向きに付勢されて前記可動部材の中空内に挿入されるロック解除用の押圧操作部と、
前記可動部材に固定されると共に固定部材の中空内に挿入されて、固定部材に旋回可能に軸受された回転軸部と、
該回転軸部の回転に連動して回転すると共に、前記押圧操作部の昇降に連動して昇降するロック部材とを有し、
該ロック部材の外周壁の上部と、前記固定部材の内周壁の上部でロック部材が上昇した際に凹凸係合して可動部材の旋回を規制する一対の第１係合構成部が設けられ、
該ロック部材の外周壁の下部と、前記固定部材の内周壁の下部でロック部材が下降した際に凹凸係合してロック部材の旋回規制解除位置を保持する一対の第２係合構成部が設けられていることを特徴とする。
請求項２の発明では、
前記押圧操作部とロック部材の間に押圧部材の昇降をロック部材に連動させる作動部材を設けており、該作動部材は回転軸部内を貫通し上下に摺動しうることを特徴とする。
請求項３の発明では、
前記ロック部材が回転軸部に外嵌しており、ロック部材の内周面と回転軸部の外周面に、上下に延びる突条と凹溝とにより凹凸係合して、回転方向に連動する一対の凹凸構成部をそれぞれに設けてなることを特徴とする。
請求項４の発明では、
前記ロック部材に設けられる第１係合構成部の一方が、ロック部材の外周壁に設けられた内歯状の凹凸部からなっており、
固定部材に設けられる第１係合構成部の他方が、前記内歯状の凹凸部に係合させる外歯状の凹凸部からなっていることを特徴とする。
請求項５の発明では、
前記ロック部材に設けられる第１係合構成部の一方が、ロック部材の外周壁で開口する横穴に嵌合して外向きに付勢された係合突部からなり、
固定部材に設けられる第１係合構成部の他方が、前記係合突部を係合させる係合受部からなっており、
該係合受部は、固定部材の軸線を中心にした周方向で可動部材の所定の回転角度に対応する位置に配置されていることを特徴とする。
請求項６の発明では、
前記ロック部材に設けられる第２係合構成部の一方が、ロック部材の外周壁で開口する横穴に嵌合して外向きに付勢された係合突部からなり、
固定部材に設けられる第２係合構成部の他方が、前記係合突部を係合させる係合受部からなっており、
該係合受部は、固定部材の軸線を中心にした周方向で可動部材の所定の回転角度に対応する位置に配置されていることを特徴とする。
請求項７の発明では、
前記第２係合構成部の係合受部が、固定部材の内周面に固着された筒状体のロックガイドに設けられて係合突部を掛止める孔部または長孔部からなっていることを特徴とする。
請求項８の発明では、
ロックガイドに設けられた係合受部が、回転軸部の軸線を中心にしたロックガイドの周方向で一定の回転角度に対応するように複数配置された円形状の孔部と長孔部との組み合わせており、該長孔部が下段の長孔の左右で上下に連通する一対の上段の長孔を有すると共に、下段の長孔の中央の上縁が円弧状となって可動フレームが閉位置のときに係合突部が掛止められる基準点となっており、可動フレームが一定の角度まで回転した際に下段の長孔から上段の長孔に移動して、ロック部材の上昇を抑えて一対の第１係合構成部が係合しないように設定されていることを特徴とする。